(57)【要約】【課題】骨鋸切削用ガイドブロックを提供すること。【解決手段】骨鋸切削用ガイドブロックは、本体及び骨鋸ガイドアセンブリを含む。本体は、近位表面及び遠位表面を含む。骨鋸ガイドアセンブリは、本体によって画定された第１のガイドスロットを含む。第１のガイドスロットは、挿入及び後退経路に沿って、近位表面及び遠位表面を通って延在している。第１のガイドスロットは、挿入及び後退経路に沿って骨鋸をガイドしている間、骨鋸の横方向の移動に適応することができる。第１のガイドスロットは、第１の内面及び第２の内面を含む。第１の内面は、挿入及び後退経路から離れて横方向に第１の距離だけ離間されている。第２の内面は、挿入及び後退経路から離れて横方向に第２の距離分だけ離間されている。第１の距離は、第２の距離より短い。【選択図】図２
2020075126.tif 000002
【特許請求の範囲】
【請求項１】
（ａ）本体であって、
（ｉ）近位表面、
（ｉｉ）遠位表面、
（ｉｉｉ）第１の側面、及び
（ｉｖ）第２の側面、を含む、本体と、
（ｂ）前記本体によって画定された第１のガイドスロットを含む骨鋸ガイドアセンブリであって、前記第１のガイドスロットが、挿入及び後退経路に沿って、前記近位表面及び前記遠位表面を通って延在し、前記第１のガイドスロットが、前記第１の側面と前記第２の側面との間に延在し、前記第１のガイドスロットが、前記挿入及び後退経路に沿って骨鋸をガイドしている間、前記骨鋸の横方向の移動に適応するように構成され、前記第１のガイドスロットが、第１の内面及び第２の内面を含み、前記第１の内面が、前記挿入及び後退経路から離れて横方向に第１の距離だけ離間され、前記第２の内面が、前記挿入及び後退経路から離れて横方向に第２の距離だけ離間され、前記第１の距離が、前記第２の距離よりも短い、骨鋸ガイドアセンブリと、を備える、骨鋸切削用ガイドブロック。
【請求項２】
前記第１の内面が、前記挿入及び後退経路に沿って前記骨鋸をガイドしている間、前記骨鋸に接触するように構成され、前記第２の内面は、前記第１の内面が前記挿入及び後退経路に沿って前記骨鋸をガイドしている間、前記骨鋸に接触しないように構成されている、請求項１に記載の骨鋸切削用ガイドブロック。
【請求項３】
前記本体が、上縁部を含み、前記第１のガイドスロットが、前記上縁部に向かって斜角で遠位に延在している、請求項１に記載の骨鋸切削用ガイドブロック。
【請求項４】
前記骨鋸ガイドアセンブリが、前記本体によって画定された第２のガイドスロットを更に含み、前記第２のガイドスロットが、前記近位表面及び前記遠位表面を通って延在し、前記第２のガイドスロットが、前記第１の側面と前記第２の側面との間に延在している、請求項３に記載の骨鋸切削用ガイドブロック。
【請求項５】
前記本体が、底縁部を備え、前記第２のガイドスロットが、前記底縁部に向かって斜角で遠位に延在している、請求項４に記載の骨鋸切削用ガイドブロック。
【請求項６】
前記第１のガイドスロット及び前記第２のガイドスロットが、前記近位表面によって画定された入口スロットに近位に終端している、請求項５に記載の骨鋸切削用ガイドブロック。
【請求項７】
前記本体が、前記入口スロットの一部分、前記第１のガイドスロットの一部分及び前記第２のガイドスロットの一部分を画定する、第１の面取りされた角部を更に備える、請求項６に記載の骨鋸切削用ガイドブロック。
【請求項８】
前記本体が、前記第１のガイドスロットの一部分を画定する第２の面取りされた角部を更に備える、請求項７に記載の骨鋸切削用ガイドブロック。
【請求項９】
前記本体が、前記第２のガイドスロットの一部分を画定する第３の面取りされた角部を更に備える、請求項８に記載の骨鋸切削用ガイドブロック。
【請求項１０】
前記本体が、前記近位表面及び前記遠位表面を通って延在する複数の貫通穴を画定する、請求項１に記載の骨鋸切削用ガイドブロック。
【請求項１１】
前記第２の内面に置かれた複数のリブを更に備える、請求項１に記載の骨鋸切削用ガイドブロック。
【請求項１２】
前記第１のガイドスロットが第３の内面を含み、前記第３の内面が、前記挿入及び後退経路から離れて第１の距離だけ離間されている、請求項１１に記載の骨鋸切削用ガイドブロック。
【請求項１３】
前記第３の内面が、前記第２の内面に対して遠位にある、請求項１２に記載の骨鋸切削用ガイドブロック。
【請求項１４】
前記第１の内面が、前記第２の内面に対して近位にある、請求項１３に記載の骨鋸切削用ガイドブロック。
【請求項１５】
前記本体が、表面修復された大腿骨に選択的に取り付けるように構成されている、請求項１に記載の骨鋸切削用ガイドブロック。
【請求項１６】
（ａ）本体であって、
（ｉ）近位表面、
（ｉｉ）遠位表面、
（ｉｉｉ）第１の側面、及び
（ｉｖ）第２の側面を含む、本体と、
（ｂ）前記本体によって画定された第１のガイドスロットを含む骨鋸ガイドアセンブリであって、前記第１のガイドスロットが、挿入及び後退経路に沿って、前記近位表面及び前記遠位表面を通って延在し、前記第１のガイドスロットが、前記挿入及び後退経路に沿って骨鋸をガイドしている間、前記骨鋸の横方向の移動に適応するように構成され、前記第１のガイドスロットは、前記第１の内面が前記挿入及び後退経路に沿って前記骨鋸をガイドしている間、前記骨鋸に接触しないように構成されたオフセット表面を含む、骨鋸ガイドアセンブリと、を備える、骨鋸切削用ガイドブロック。
【請求項１７】
前記オフセット表面が、前記近位表面と前記遠位表面との間に配置されている、請求項１６に記載の骨鋸切削用ガイドブロック。
【請求項１８】
前記第１のガイドスロットが、前記挿入及び後退経路に沿って前記骨鋸をガイドしている間、前記骨鋸に接触するように構成された接触表面を含む、請求項１７に記載の骨鋸切削用ガイドブロック。
【請求項１９】
前記接触表面が、前記オフセット表面に対して近位及び遠位に配置されている、請求項１８に記載の骨鋸切削用ガイドブロック。
【請求項２０】
（ａ）本体であって、
（ｉ）近位表面、
（ｉｉ）遠位表面、並びに
（ｉｉｉ）前記近位表面と前記遠位表面との間に配置された面取りされた角部であって、前記面取りされた角部及び前記近位表面が横方向に延在する入口スロットを画定する、面取りされた角部を含む、本体と、
（ｂ）骨鋸ガイドアセンブリであって、前記骨鋸ガイドアセンブリが第１のガイドスロット及び第２のガイドスロットを含み、前記第１のガイドスロットが、前記横方向に延在する入口スロットから前記遠位表面を通って延在し、前記第２のガイドスロットが、前記横方向に延在する入口スロットから前記遠位表面を通って延在する、骨鋸ガイドアセンブリと、を備える、骨鋸切削用ガイドブロック。
【発明の詳細な説明】
【背景技術】
【０００１】
一部の例では、スロットを画定するブロックガイドを使用して、骨の様々な部分を取り除く際に骨鋸をガイドすることができる。一例としては、膝置換の間の膝面取りブロックガイドの使用が挙げられる。関節形成術とも呼ばれる膝置換は、関節炎又は重症な膝の故障により損傷した膝を表面修復する外科手技である。金属製及び／又はプラスチック製の補綴物を使用して、膝関節を形成する表面修復された大腿骨及び脛骨の端部を膝キャップと共にキャップする。膝の大腿骨部分を表面修復するために、大腿骨上に複数の切削を作製することができる。第１の切削が、大腿骨の端部に作製された後に、大腿骨の新しい露出表面に好適なサイズの膝面取りブロックガイドを取り付けることができる。対応する大腿骨の補綴物を取り付けるために大腿骨を好適に表面修復するため、骨鋸を膝面取りブロックガイドによって画定されたガイドスロットから挿入して、正確な切削を設けることができる。
【０００２】
三次元（３Ｄ）印刷は、デジタルモデルから三次元固体物体を作製するために使用される、付加型印刷プロセスである。３Ｄ印刷は、迅速な試作品、製品製造、金型生成及び金型マスター生成に使用することができる。３Ｄ印刷技術は、材料の連続層の適用を伴うので、付加型プロセスと考えられる。これは、多くの場合、最終物体を作製するために材料の除去に依存する、従来の機械加工プロセスとは異なる。３Ｄ印刷では、様々な材料を使用することができる。例えば、ポリイミド、アルミド、チタン又は熱可塑性ポリウレタンなどの材料を、３Ｄ印刷に使用することができる。いくつかの３Ｄ印刷技術は、粉末を基礎材料として利用し、次いでこの粉末を所望の形状に変換して製品を形成する。例えば、レーザ焼結は、粉末の連続薄層、その次の層の上に１つの層を施用することを含む。粉末の各層の施用の間、レーザは、まだ粉末状態にある粉末層の所望の部分の上を移動し、標的とする粉末を一緒に焼結し、最終的に所望の形状を形成する。完了すると、未焼結粉末から最終製品を取り出すことができる。
【０００３】
様々な種類の骨切削用ガイドブロックが作製され使用されてきたが、本発明者らの以前には、添付の特許請求の範囲に記載されている発明を誰も作製又は使用したことがないものと考えられる。
【図面の簡単な説明】
【０００４】
本明細書は、本技術を具体的に指摘し、かつ明確にこの技術を特許請求する、特許請求の範囲により完結するが、本技術は、以下のある特定の実施例の説明を添付図面と併せ読むことでよりよく理解されるものと考えられ、図面において同様の参照符号は同じ要素を特定する。
【図１Ａ】末期膝関節炎を有する膝の骨の斜視図である。
【図１Ｂ】人工膝を取り付ける準備中に表面修復された後の、図１Ａの骨の斜視図である。
【図１Ｃ】図１Ｂの表面修復された骨に取り付けた人工膝の斜視図である。
【図２】人工膝を取り付ける準備中、大腿骨を表面修復するために使用することができる、例示的な切削用ガイドブロックの斜視図である。
【図３】図２切削用ガイドブロックの別の斜視図である。
【図４Ａ】矢状面に沿って切り取られた、角度オフセット構成にある大腿骨及び脛骨の断面図である。
【図４Ｂ】大腿骨の端部に横断方向切削を含む、矢状面に沿って切り取られた図４Ａの大腿骨の断面図である。
【図４Ｃ】図２の切削用ガイドブロックが図４Ｂの第１の切削に取り付けられており、大腿骨表面に前方冠状切削を作製するために骨鋸が切削用ガイドブロックの冠状切削ガイドスロットから挿入されている、矢状面に沿って切り取られた図４Ａの大腿骨の断面図である。
【図４Ｄ】図２の切削用ガイドブロックが図４Ｂの第１の切削に取り付けられており、大腿骨表面に後方冠状切削を作製するために骨鋸が切削用ガイドブロックの別の冠状切削ガイドスロットから挿入されている、図４Ａの大腿骨の矢状面に沿って切り取られた断面図である。
【図４Ｅ】図２の切削用ガイドブロックが図４Ｂの第１の切削に取り付けられており、大腿骨表面に前方面取り切削を作製するために、骨鋸が切削用ガイドブロックの面取り切削ガイドスロットから挿入されている、矢状面に沿って切り取られた図４Ａの大腿骨の断面図である。
【図４Ｆ】図２の切削用ガイドブロックが図４Ｂの第１の切削に取り付けられており、腿骨表面に後方面取り切削が作製するために、骨鋸が切削用ガイドブロックの別の面取り切削ガイドスロットから挿入されている、矢状面に沿って切り取られた図４Ａの大腿骨の断面図である。
【図４Ｇ】大腿骨が好適に表面修復されて、大腿骨補綴物構成要素が大腿骨にぴったりと嵌っている、矢状面に沿って切り取られた図４Ａの大腿骨の断面図である。
【図４Ｈ】大腿骨が適切に表面修復されて、図４Ｇの大腿骨補綴物構成要素が大腿骨に好適に取り付けられている、矢状面に沿って切り取られた図４Ａの大腿骨の断面図である。
【図５】人工膝を取り付ける準備中、大腿骨を表面修復するために使用することができる、別の例示的な切削用ガイドブロックの斜視図である。
【図６】図５の切削用ガイドブロックの別の斜視図である。
【図７】図５の線７−７に沿って切り取られた図５の切削用ブロックの断面斜視図である。
【図８】図５の線７−７に沿って切り取られた図５の切削用ブロックの側面断面図である。
【図９】骨鋸がガイドスロットから挿入されている、図５の線７−７に沿って切り取られた図５の切削用ブロックの拡大側面断面図である。
【図１０】骨鋸がガイドスロットから挿入されている、図５の線７−７に沿って切り取られた図５の切削用ブロックの別の実施形態の拡大側面断面図である。
【０００５】
図面は、いかなる方式でも限定することを意図しておらず、本技術の様々な実施形態は、図面に必ずしも描写されていないものを含め、その他の様々な方式で実施し得ることが企図される。本明細書に組み込まれ、本明細書の一部をなす添付の図面は、本技術のいくつかの態様を示しており、その説明と共に本技術の原理を説明するのに役立つものであるが、本技術は、示される厳密な配置構成に限定されないことが理解される。
【発明を実施するための形態】
【０００６】
本技術の特定の実施例の以下の説明文は、その範囲を限定する目的で用いられるべきではない。本技術の他の実施例、特徴、態様、実施形態、及び利点は、実例として、本技術を実施する上で想到される最良の態様の１つである以下の説明により、当業者には明らかとなるであろう。理解されるように、本明細書に記載される技術は、いずれもその技術から逸脱することなく、その他の異なる、かつ明らかな態様が可能である。したがって、図面及び説明は、限定的な性質のものではなく、例示的な性質のものと見なされるべきである。
【０００７】
Ｉ．例示的な切削用ガイドブロック
図１Ａに示されている膝と類似する、関節炎（１２、２２）又は他の重症な損傷を有する膝は、膝置換術の良好な候補となり得る。膝置換術では、個々の関節炎部分（１２、２２）（図１Ａに示されている）を有する大腿骨（１０）及び脛骨（２０）は、表面修復されて（図１Ｂに示されている）、膝の損傷部分を取り除き、次に、個々の補綴物構成要素（３０、４０）（図１Ｃに示されている）でキャップされる。表面修復済み脛骨（２０）は、脛骨の補綴物構成要素（４０）を収容するために、優れた横方向切削（２４）しか必要としないことがある。しかし、表面修復済み大腿骨（１０）は、大腿骨補綴物構成要素（３０）を収容するために、複数の切削を必要とし得る。一部の例では、表面修復済み大腿骨（１０）は、大腿骨補綴物構成要素（３０）を収容するために大腿骨（１０）を好適に表面修復するため、前方冠状切削（１４）、後方冠状切削（１５）、横断方向切削（１６）、前方面取り切削（１８）、及び後方面取り切削（１９）を必要とすることがある。
【０００８】
４つの切削の作製の際に、４つの切削が互いに対して正確に作製されるように、往復式骨鋸（９０）をガイドするためにフォーインワン式（four-in-one）切削用ガイドブロック（６０）を使用することができる。特に、以下に一層詳細に記載されているように、フォーインワン式切削用ガイドブロック（６０）は、冠状切削（１４、１５）、及び面取り切削（１８、１９）の作製を補助することができる。
【０００９】
切削用ガイドブロック（６０）は、近位表面（６２）、遠位表面（６４）、第１の横方向縁部（７０）、第２の横方向縁部（７２）、上縁部（７４）、及び底縁部（７６）を含む。複数の貫通穴（６６）が、近位表面（６２）から遠位表面（６４）まで延在している。貫通穴（６６）は、切削用ガイドブロック（６０）が表面修復中に大腿骨（１０）に選択的に取り付けられ得るように、固定用構成要素を収容する寸法にされている。更に、遠位表面（６４）の一部分は、切削用ガイドブロック（６０）が大腿骨（１０）に取り付けられているときに、横断方向切削（１６）に隣接するように構成されている。
【００１０】
上記のように、切削用ガイドブロック（６０）は、４つの切削（１４、１５、１８、１９）を作製する際に、往復式骨鋸（９０）をガイドするように構成されている。したがって、以下に一層詳細に記載されているとおり、切削用ガイドブロック（６０）は、一対の冠状切削ガイドスロット（８０）及び一対の面取り切削ガイドスロット（８４、８６）を画定する。
【００１１】
冠状切削ガイドスロット（８０）は、近位表面（６２）から遠位表面（６４）まで延在し、横方向縁部（７０、７２）の境界内部に延在する。図４Ｃ〜４Ｆに最良に見られるように、冠状切削ガイドスロット（８０）の１つは、往復式骨鋸（９０）をガイドして前方冠状切削（１４）を実施するように、上縁部（７４）の近傍に配置される一方、別の冠状ガイドスロット（８０）は、往復式骨鋸（９０）をガイドして後方冠状切削（１５）を実施するように、低縁部（７６）の近傍に配置されている。
【００１２】
面取り切削入口スロット（８２）は、近位表面（６２）によって画定されている。面取り切削入口スロット（８２）は、第１の面取り切削ガイドスロット（８４）と第２の面取り切削ガイドスロット（８６）とに分岐しており、それぞれが、遠位表面（６４）に延在している。面取り切削入口スロット（８２）は、骨鋸（９０）もまた面取り切削ガイドスロット（８４、８６）のどちらか一方に更に延在することができるように、往復式骨鋸（９０）を収容するような寸法にされている。第１の面取り切削ガイドスロット（８４）は、往復式骨鋸（９０）をガイドして前方面取り切削（１８）を実施するように配置される一方、第２の面取り切削ガイドスロット（８６）は、往復式骨鋸（９０）をガイドして後方面取り切削（１９）を実施するように配置されている。
【００１３】
ガイドスロット（８０、８４、８６）及び入口スロット（８２）は、ガイドブロック（６０）が１つの個々の部品に留まることができるように、横方向縁部（７０、７２）の間に配置されている。言い換えると、ガイドスロット（８０、８４、８６）及び入口スロット（８２）は、横方向縁部（７０）から横方向縁部（７２）まで全体にわたって延在する場合、ガイドブロック（６０）は複数の部分に分割されることになり、これは、４つの骨切削（１４、１５、１８、１９）の互いに対する精密さ低下させるおそれがある。
【００１４】
図４Ａ〜４Ｈは、膝の大腿骨部分（１０）を表面修復及びキャップする例示的な過程を示している。図４Ａは、参照のため、オフセット角度の関係にある、患者の大腿骨（１０）と脛骨（２０）を示している。オフセット角度位置にある脛骨（２０）の場合、大腿骨（１０）の前方部分（１１）は、脛骨（２０）から離れる方向に面している一方、大腿骨（１０）の後方部分（１３）は、脛骨（２０）の方向に面している。
【００１５】
操作者は、挿入及び後退経路（２）に沿って、往復式骨鋸（９０）を挿入することによって、大腿骨（１０）上に横断方向切削（１６）を、最初に作製することができる。本明細書の教示を鑑みて当業者に明白なように、任意の好適なガイド機構を使用して、経路（２）に沿って骨鋸（９０）をガイドし、大腿骨（１０）上に切削（１６）を作製することができる。往復式骨鋸（９０）は、経路（２）に沿って大腿骨（１０）に対して挿入されている間、紙面の奥と手前との間で、したがって挿入及び後退経路（２）を横断して前後に往復運動して、切削（１６）を作製することが理解されるべきである。したがって、骨鋸（９０）は、大腿骨（１０）上で横方向切削（１６）を作製するために経路（２）に沿って挿入されているため、骨を切削する鋸動作を生み出しているのは紙面の奥と手前との間での運動であり、経路（２）に沿った運動ではない。
【００１６】
次に、図４Ｃで示されているように、切削用ガイドブロック（６０）は、本明細書における教示を鑑みて当業者に明白な任意の手段を利用して、大腿骨（１０）に取り付けることができる。例えば、ピン、軸などの固定要素は、切削用ガイドブロック（６０）を大腿骨（１０）に好適に取り付けるために、貫通穴（６６）、及び切削（１６）により露出された大腿骨（１０）の部分に一時的に挿入され得る。このような固定要素は、切削過程が完了した後に取り除かれてもよい。切削用ガイドブロック（６０）は、異なるサイズの補綴物（３０）向けに、異なるサイズの状態にされてもよい。本明細書における教示を鑑みて当業者に明白であるように、操作者は、任意の好適な方法を使用して、どのサイズの切削用ガイドブロック（６０）が使用されるべきかを判定することができる。
【００１７】
次に、操作者は、大腿骨（１０）に好適に取り付けられた適切なサイズの切削用ガイドブロック（６０）を用いて、互いに対して適切なサイズにされた切削（１４、１５、１８、１９）を作製するために、往復式骨鋸（９０）を様々なガイドスロット（８０、８４、８６）に挿入することができる。したがって、図４Ｃにやはり示されているとおり、操作者は、骨鋸（９０）が近位表面（６２）を介して上縁部（７４）の近傍の冠状切削ガイドスロット（８０）に入り、遠位表面（６４）を過ぎて延在するように、挿入及び後退経路（４）に沿って往復式骨鋸（９０）を挿入することによって前方冠状切削（１４）を作製して、前方冠状切削（１４）を完了することができる。次に、図４Ｄに示されているとおり、操作者は、骨鋸（９０）が近位表面（６２）を介して底縁部（７６）の近傍の冠状切削ガイドスロット（８０）に入り、遠位表面（６４）を過ぎて延在するように、挿入及び後退経路（６）に沿って往復式骨鋸（９０）を挿入することによって後方冠状切削（１５）を作製して、後方冠状切削（１５）を完了することができる。
【００１８】
往復式骨鋸（９０）は、挿入及び後退経路（４、６）に沿って大腿骨（１０）に挿入されている間、往復運動が個々の経路（４、６）に対して横方向の経路に沿うように、紙面の奥と手前との間での鋸動作で前後に往復運動して（１４、１５）を作製切削することを理解すべきである。したがって、骨鋸（９０）は、大腿骨（１０）に冠状切削（１４、１５）を作製するために経路（４、６）に沿って挿入されているため、骨を切削する鋸動作を生み出しているのは紙面の奥と手前との間での前後運動であり、経路（４、６）に沿った運動ではない。
【００１９】
次に、図４Ｅに示されているとおり、操作者は、骨鋸（９０）が面取り切削入口スロット（８２）に入り、第１の面取り切削ガイドスロット（８４）に延在し、遠位表面（６４）を過ぎて延在するように、挿入及び後退経路（８）に沿って往復式骨鋸（９０）を挿入することによって前方面取り切削（１８）を作製して、前方面取り切削（１８）を完了することができる。次に、図４Ｆに示されているとおり、操作者は、骨鋸（９０）が面取り切削入口スロット（８２）に入り、第２の面取り切削ガイドスロット（８６）に延在し、遠位表面（６４）を過ぎて延在するように、挿入及び後退経路（９）に沿って往復式骨鋸（９０）を挿入することによって後方面取り切削（１９）を作製して、後方面取り切削（１９）を完了することができる。
【００２０】
往復式骨鋸（９０）は、挿入及び後退経路（８、９）に沿って大腿骨（１０）に挿入されている間、往復運動が個々の経路（８、９）に対して横方向の経路に沿うように、紙面の奥と手前との間での鋸動作で前後に往復運動して切削（１８、１９）を作製することを理解すべきである。したがって、骨鋸（９０）は、大腿骨（１０）に面取り切削（１８、１９）を作製するために経路（８、９）に沿って挿入されているため、骨を切削する鋸動作を生み出しているのは、紙面の奥と手前との間での前後運動であり、経路（８、９）に沿った運動ではない。例は、切削（１４、１５、１８、１９）がある特定の順序で作製されることを示しているが、本明細書の教示を鑑みて当業者に明白となるように、切削（１４、１５、１８、１９）を作製する任意の他の好適な順序が利用されてもよいことを理解すべきである。
【００２１】
次に、すべての切削（１４、１５、１６、１８、１９）が作製されると、操作者は、本明細書の教示を鑑みて当業者に明白な任意の手段を利用することにより、切削用ガイドブロック（６０）を好適に取り外すことができる。図４Ｇに示されているとおり、操作者は、取り外された切削用ガイドブロック（６０）を用いて、大腿骨補綴物構成要素（３０）の相補的内面（３２）と新しく作製された切削（１４、１５、１６、１８、１９）とをぴったりと嵌めて、図４Ｈに示されているとおり、大腿骨（１０）上に、大腿骨補綴物構成要素（３０）を挿入することができる。操作者は、本明細書における教示を鑑みて当業者に明白な任意の好適な手段を使用して、大腿骨（１０）上の大腿骨補綴物構成要素（３０）を連結することができる。例えば、骨セメントは、大腿骨補綴物構成要素（３０）を大腿骨（１０）と連結するために使用することができる。
【００２２】
ＩＩ．３Ｄ印刷したアンダーカット鋸スロットを有する代替的な例となる切削用ガイドブロック
正確な骨切削（１４、１５、１８、１９）を作製するために往復式骨鋸（９０）を好適にガイドするため、鋸ガイドスロット（８０、８４、８６）は、鋸動作の間、往復式骨鋸（９０）を挿入／後退経路にぴったりと嵌った状態を維持するほど十分に狭いことが望ましい場合がある。骨鋸（９０）は、図４Ｃ〜４Ｆに示されるそれぞれの視点から見て、紙面の奥と手前との間で前後に往復するため、骨鋸（９０）は、骨を切削するために、切削用ガイドブロック（６０）の使用中に、鋸ガイドスロット（８０、８４、８６）を画定する内面を骨鋸（９０）と接触させることができる。骨鋸（９０）が往復運動している間の、骨鋸（９０）と、鋸ガイドスロット（８０、８４、８６）を画定する内面との接触は、摩擦接触により、多量の熱エネルギーの蓄積を引き起こし得る。このような摩擦からあまりにも多量の熱が蓄積すると、骨鋸（９０）のゆがみ又は弱化、鋸ガイドスロット（８０、８４、８６）を画定する内面のゆがみ若しくはこの内面への他の構造的な破損、骨への熱的破損、又は他の望ましくない結果などの、望ましくない結果が起こり得る。したがって、骨鋸（９０）が挿入／後退経路にぴったりと嵌った状態を好適に維持することが依然として可能であるが、骨鋸（９０）とガイドスロット（８０、８４、８６）の内面との間の接触を少なくし、これにより摩擦を低減し、これにより過度な熱エネルギーの蓄積を防止する鋸ガイドスロット（８０、８４、８６）を有する切削用ガイドブロック（６０）を有することが望ましい場合がある。
【００２３】
図５〜７は、４つの切削が互いに対して正確に作製されるように、４つの切削の作製の際に往復式骨鋸（９０）をガイドするために使用され得る、例示的な３Ｄ印刷されたフォーインワン式切削用ガイドブロック（１６０）を示している。本発明の教示を鑑みて当業者に明白であるように、任意の好適な３Ｄ印刷過程を利用して、フォーインワン式切削用ガイドブロック（１６０）を形成することができる。切削用ガイドブロック（１６０）は、上で記載されている切削用ガイドブロック（６０）と実質的に類似しており、差異は、以下に詳しく述べられている。したがって、フォーインワン式切削用ガイドブロック（１６０）は、冠状切削（１４、１５）、及び面取り切削（１８、１９）の作製を補助することができる。しかし、切削用ガイドブロック（１６０）は、ガイドスロット（１８０、１８４、１８６）を有しており、これらのそれぞれは、骨鋸（９０）により隙間を画定するような寸法にされている凹型中間内面（１１４）を有している一方、骨鋸（９０）は、骨を鋸で切るためのガイドスロット（１８０、１８４、１８６）内で往復運動する。
【００２４】
切削用ガイドブロック（１６０）は、近位表面（１６２）、遠位表面（１６４）、第１の横方向縁部（１７０）、第２の横方向縁部（１７２）、上縁部（１７４）及び底縁部（１７６）を含む。複数の貫通穴（１６６）が、近位表面（１６２）から遠位表面（１６４）まで延在している。貫通穴（１６６）は、固定用構成要素（例えば、軸、ピンなど）を収容する寸法にされており、こうして、切削用ガイドブロック（１６０）は、表面修復中、大腿骨（１０）に選択的に取り付けることができる。更に、遠位表面（１６４）の一部分は、切削用ガイドブロック（１６０）が大腿骨（１０）に取り付けられているときに、横断方向切削（１６）に隣接するように構成されている。
【００２５】
上記のように、切削用ガイドブロック（１６０）は、４つの切削（１４、１５、１８、１９）を作製する際に、往復式骨鋸（９０）をガイドするように構成されている。したがって、上に記載されている切削用ガイドブロック（６０）と同様に（以下に差異が詳細に述べられている）、切削用ガイドブロック（１６０）は、一対の冠状切削ガイドスロット（１８０）及び一対の面取り切削ガイドスロット（１８４、１８６）を画定する。
【００２６】
冠状切削ガイドスロット（１８０）は、近位表面（１６２）から遠位表面（１６４）まで延在し、横方向縁部（１７０、１７２）の間に延在している。図８に最良に見られるように、冠状切削ガイドスロット（１８０）の１つは、往復式骨鋸（９０）をガイドして前方冠状切削（１４）を実施するように、上縁部（１７４）の近傍に配置される一方、別の冠状ガイドスロット（１８０）は、往復式骨鋸（９０）をガイドして後方冠状切削（１５）を実施するように、低縁部（１７６）の近傍に配置されている。
【００２７】
面取り切削入口スロット（１８２）は、近位表面（１６２）によって画定されている。面取り切削入口スロット（１８２）は、第１の面取り切削ガイドスロット（１８４）と第２の面取り切削ガイドスロット（１８６）に分岐しており、それぞれが、遠位表面（１６４）に延在している。面取り切削入口スロット（１８２）は、往復式骨鋸（９０）を収容するような寸法にされており、こうして、骨鋸（９０）はまた、面取り切削ガイドスロット（１８４、１８６）のどちらか一方に更に延在することができる。特に、面取り切削入口スロット（１８２）は、骨鋸（９０）を第１の面取り切削ガイドスロット（１８４）にガイドするように構成された表面（１９０）に第１のリードを含む一方、面取り切削入口スロット（１８２）は、骨鋸（９０）を第２の面取り切削ガイドスロット（１８６）にガイドするように構成された表面（１９２）に、第２のリードを含む。更に、面取り切削入口スロット（１８２）は、３つの面取りされた縁部（１８８）によって部分的に画定されている。第１の面取り切削ガイドスロット（１８４）は、往復式骨鋸（９０）をガイドして前方面取り切削（１８）を実施するように配置され、第２の面取り切削ガイドスロット（１８６）は、往復式骨鋸（９０）をガイドして後方面取り切削（１９）を実施するように配置されている。
【００２８】
ガイドスロット（１８０、１８４、１８６）は、切削用ガイドブロック（１６０）が１つの個々の部品に留まることができるように、横方向縁部（１７０、１７２）の間に配置されている。言い換えると、ガイドスロット（１８０、１８４、１８６）は、横方向縁部（１７０）から横方向縁部（１７２）まで全体にわたって延在する場合、切削用ガイドブロック（１６０）は複数の部品に分割されることになり、これは、４つの骨切削（１４、１５、１８、１９）の互いに対する精密さを低下させるおそれがある。
【００２９】
上記のとおり、従来では、ガイドスロット（８０、８４、８６）は、上の説明に従って骨を鋸切削している間、骨鋸（９０）を好適にガイドするよう、ガイドスロット（８０、８４、８６）の全長に沿って平坦かつ真っ直ぐな側壁と一緒になって狭くなっている。しかし、本例の切削用ガイドブロック（１６０）は、３Ｄ印刷などの付加型プロセスにより製造されるので、ガイドスロット（１８０、１８４、１８６）は、骨鋸（９０）を好適にガイドしている間、骨鋸（９０）との接触を最小限にするように構成された寸法に変更することができる。ガイドスロット（１８０、１８４、１８６）の、従来的な成形技術及び／又は機械加工技術を使用するこのような寸法の変更は、可能とはなり得ない。
【００３０】
本例では、各ガイドスロット（１８０、１８４、１８６）は、一対の近位内面（１１０）、一対の遠位内面（１１２）及び一対の中間内面（１１４）を含む。近位内面（１１０）及び遠位内面（１１２）は、どちらも、上の説明に従う例示的な使用の間、骨鋸（９０）を好適にガイドするような寸法にされている。したがって、骨鋸（９０）は、図９で上から見て、紙面の奥と手前との間での鋸動作で往復運動をするので、近位内面（１１０）及び遠位内面（１１２）は、骨鋸（９０）に接触することがある。この往復運動は、摩擦による熱を発生することがある。しかし、中間内面（１１４）は、近位内面（１１０）及び遠位内面（１１２）から離れて凹んでいる。言い換えると、中間内面（１１４）は、近位内面（１１０）及び遠位内面（１１２）と比べて、挿入及び後退経路（４、６、８、９）から離れてある距離だけオフセットされる。したがって、図９に最良に示されているとおり、骨鋸（９０）は、上から見て、紙面の奥と手前との間で前後に往復運動するため、骨鋸（９０）は、中間内面（１１４）に接触することはなく、そのため、上記の切削用ガイドブロック（６０）のガイドスロット（８０、８４、８６）と比べて、熱エネルギーはそれほど蓄積されない。近位内面（１１０）及び遠位内面（１１２）は、依然として、骨鋸（９０）と十分に接触しており、こうして、骨鋸（９０）は、挿入及び後退経路（４、６、８、９）に好適にぴったりと嵌められていることを理解すべきである。面取りされた縁部（１８８）もまた、面取り切削入口スロット（１８２）から挿入されると、骨鋸（９０）との摩擦を低減することができる。
【００３１】
本例では、中間内面（１１４）は、骨鋸（９０）に接触しないよう、挿入及び後退経路（４、６、８、９）から離れてオフセットされる一方、近位内面（１１０）及び遠位内面（１１２）は、骨鋸（９０）に接触してこれをガイドする。しかし、このパターンは、単なる任意選択に過ぎない。図１０は、上記のガイドスロット（１８０、１８４、１８６）の代わりに使用することができる、代替ガイドスロット（２８０）を示している。ガイドスロットは、近位内面（２１０）、遠位内面（２１２）及び中間内面（２１４）を有しており、これらは、上記の近位内面（１１０）、遠位内面（１１２）及び中間内面（１１４）に実質的に類似している。しかし、中間内面はまた、骨鋸（９０）が挿入及び後退経路（４、６、８、９）にぴったりと嵌った状態を維持させるために、骨鋸（９０）に接触するようやはり構成された複数のリブ（２２０）を備える。リブ（２２０）により、近位内面（２１０）及び遠位内面（２１２）は、従来の近位内面（１１０）及び遠位内面（１１２）より短くすることが可能となる。リブ（２２０）は、一層厚い基材を使用した台形で示されている矩形、又は本明細書の教示を鑑みて当業者に明白な任意の他の好適な形状とすることができる。リブ（２２０）の端部は、平坦である代わりに、点とすることができる。リブ（２２０）は、ガイドスロットの全長を動くことができるか、又はリブ（２２０）は、中間内面（２１４）に沿った様々な位置に個別に置かれてもよい。
【００３２】
本明細書の教示を鑑みて当業者に明白なように、挿入及び後退経路（４、６、８、９）から離れてオフセットされた表面の任意の好適なパターンが使用され得る。例えば、スロット（１８０、１８４、１８６）の内面は、１つ又は複数の方向に、起伏様式、ジグザグ様式又は段々様式などの繰り返し様式で、挿入及び後退経路（４、６、８、９）からオフセットされ得る。骨鋸（９０）に接触しているスロット（１８０、１８４、１８６）の内面の一部分により、骨鋸（９０）は挿入及び後退経路（４、６、８、９）と十分にぴったりと嵌ることができることを依然として理解すべきである。
【００３３】
ＩＩＩ．例示的な組合せ
以下の実施例は、本明細書の教示を組み合わせるか又は適用することができる、種々の非網羅的な方法に関する。以下の実施例は、本出願における又は本出願の後の出願におけるどの時点でも提示され得る、いずれの請求項の適用範囲をも限定することを目的としたものではないと理解すべきである。一切の棄権を意図するものではない。以下の実施例は、単なる例示の目的で与えられるものに過ぎない。本明細書の種々の教示は、他の多くの方法で構成及び適用が可能であると考えられている。また、いくつかの変形形態では、以下の実施例において言及される特定の特徴を省略してよいことも、考えられる。したがって、本発明者又は本発明者の利益の継承者により、後日、そうである旨が明示的に示されないかぎり、以下に言及される態様又は特徴のいずれも重要なものとして見なされるべきではない。以下に言及される特徴以外の更なる特徴を含む請求項が本出願において、又は本出願に関連する後の出願において示される場合、それらの更なる特徴は、特許性に関連するいかなる理由によっても追加されたものとして仮定されるべきではない。
【実施例１】
【００３４】
（ａ）本体であって、（ｉ）近位表面、（ｉｉ）遠位表面、（ｉｉｉ）第１の側面、及び（ｉｖ）第２の側面を含む、本体と、（ｂ）本体によって画定された第１のガイドスロットを含む骨鋸ガイドアセンブリであって、第１のガイドスロットが、挿入及び後退経路に沿って、近位表面及び遠位表面を通って延在し、第１のガイドスロットが、第１の側面と第２の側面との間に延在し、第１のガイドスロットが、挿入及び後退経路に沿って骨鋸をガイドしている間、骨鋸の横方向の移動に適応するように構成され、第１のガイドスロットが、第１の内面及び第２の内面を含み、第１の内面が、挿入及び後退経路から離れて横方向に第１の距離だけ離間され、第２の内面が、挿入及び後退経路から離れて横方向に第２の距離だけ離間され、第１の距離が、第２の距離よりも短い、骨鋸ガイドアセンブリと、を備える、骨鋸切削用ガイドブロック。
【実施例２】
【００３５】
第１の内面が、挿入及び後退経路に沿って骨鋸をガイドしている間、骨鋸に接触するように構成され、第１の内面は、挿入及び後退経路に沿って骨鋸をガイドしている間、第２の内面が骨鋸に接触しないように構成されている、実施例１に記載の骨鋸切削用ガイドブロック。
【実施例３】
【００３６】
本体が、上縁部を含み、第１のガイドスロットが、上縁部に向かって斜角で遠位に延在している、実施例１〜２のいずれか１つ以上に記載の骨鋸切削用ガイドブロック。
【実施例４】
【００３７】
骨鋸ガイドアセンブリが、本体によって画定された第２のガイドスロットを更に含み、第２のガイドスロットが、近位表面及び遠位表面を通って延在し、第２のガイドスロットが、第１の側面と第２の側面との間に延在している、実施例３に記載の骨鋸切削用ガイドブロック。
【実施例５】
【００３８】
本体が、底縁部を備え、第２のガイドスロットが、底縁部に向かって斜角で遠位に延在している、実施例４に記載の骨鋸切削用ガイドブロック。
【実施例６】
【００３９】
第１のガイドスロット及び第２のガイドスロットが、近位表面によって画定された入口スロットに近位で終端している、実施例５に記載の骨鋸切削用ガイドブロック。
【実施例７】
【００４０】
本体が、入口スロットの一部分、第１のガイドスロットの一部分及び第２のガイドスロットの一部分を画定する、第１の面取りされた角部（corned）を更に備える、実施例６に記載の骨鋸切削用ガイドブロック。
【実施例８】
【００４１】
本体が、第１のガイドスロットの一部分を画定する第２の面取りされた角部を更に備える、実施例７に記載の骨鋸切削用ガイドブロック。
【実施例９】
【００４２】
本体が、第２のガイドスロットの一部分を画定する第３の面取りされた角部を更に備える、実施例８に記載の骨鋸切削用ガイドブロック。
【実施例１０】
【００４３】
本体が、近位表面及び遠位表面を通って延在する複数の貫通穴を画定する、実施例１〜９のいずれか１つ以上に記載の骨鋸切削用ガイドブロック。
【実施例１１】
【００４４】
第２の内面に置かれた複数のリブを更に備える、実施例１〜１０のいずれか１つ以上に記載の骨鋸切削用ガイドブロック。
【実施例１２】
【００４５】
第１のガイドスロットが第３の内面を含み、第３の内面が、挿入及び後退経路から離れて第１の距離だけ離間されている、実施例１１に記載の骨鋸切削用ガイドブロック。
【実施例１３】
【００４６】
第３の内面が、第２の内面に対して遠位にある、実施例１２に記載の骨鋸切削用ガイドブロック。
【実施例１４】
【００４７】
第１の内面が、第２の内面に対して近位にある、実施例１３に記載の骨鋸切削用ガイドブロック。
【実施例１５】
【００４８】
本体が、表面修復された大腿骨に選択的に取り付けるように構成されている、実施例１〜１４のいずれか１つ以上に記載の骨鋸切削用ガイドブロック。
【実施例１６】
【００４９】
（ａ）本体であって、（ｉ）近位表面、（ｉｉ）遠位表面、（ｉｉｉ）第１の側面、及び（ｉｖ）第２の側面を含む、本体と、（ｂ）本体によって画定された第１のガイドスロットを含む骨鋸ガイドアセンブリであって、第１のガイドスロットが、挿入及び後退経路に沿って、近位表面及び遠位表面を通って延在し、第１のガイドスロットが、挿入及び後退経路に沿って骨鋸をガイドしている間、骨鋸の横方向の移動に適応するように構成され、第１のガイドスロットは、第１の内面が挿入及び後退経路に沿って骨鋸をガイドしている間、骨鋸に接触しないように構成されたオフセット表面を含む、骨鋸ガイドアセンブリと、を備える、骨鋸切削用ガイドブロック。
【実施例１７】
【００５０】
オフセット表面が、近位表面と遠位表面との間に配置されている、実施例１６に記載の骨鋸切削用ガイドブロック。
【実施例１８】
【００５１】
第１のガイドスロットが、挿入及び後退経路に沿って骨鋸をガイドしている間、骨鋸に接触するように構成された接触表面を含む、実施例１７に記載の骨鋸切削用ガイドブロック。
【実施例１９】
【００５２】
接触表面が、オフセット表面に対して近位表面及び遠位に配置されている、実施例１８に記載の骨鋸切削用ガイドブロック。
【実施例２０】
【００５３】
（ａ）本体であって、（ｉ）近位表面、（ｉｉ）遠位表面、並びに（ｉｉｉ）近位表面と遠位表面との間に配置された面取りされた角部であって、面取りされた角部及び近位表面が横方向に延在する入口スロットを画定する、面取りされた角部を含む、本体と、（ｂ）骨鋸ガイドアセンブリであって、骨鋸ガイドアセンブリが第１のガイドスロット及び第２のガイドスロットを含み、第１のガイドスロットが、横方向に延在する入口スロットから遠位表面を通って延在し、第２のガイドスロットが、横方向に延在する入口スロットから遠位表面を通って延在する、骨鋸ガイドアセンブリと、を備える、骨鋸切削用ガイドブロック。
【００５４】
ＩＶ．その他
本明細書に記載の教示、表現要素、実施形態、実施例などのうちのいずれか１つ又は複数を、本明細書に記載の他の教示、表現要素、実施形態、実施例などのうちのいずれか１つ又は複数と組み合わせることができる点が理解されるべきである。したがって、上記の教示、表現、実施形態、実施例などは、互いに対して独立して考慮されるべきではない。本明細書の教示に照らして、本明細書の教示を組み合わせることができる種々の好適な方法が、当業者には直ちに明らかとなろう。このような改変及び変形形態は、「特許請求の範囲」内に含まれるものとする。
【００５５】
本明細書に参考として組み込まれると言及されたいかなる特許、公報、又は他の開示内容も、全体的に又は部分的に、組み込まれた内容が現行の定義、見解、又は本明細書に記載される他の開示内容とあくまで矛盾しない範囲でのみ本明細書に組み込まれる、と理解されなければならない。それ自体、また必要な範囲で、本明細書に明瞭に記載される開示内容は、参照により本明細書に組み込まれるあらゆる矛盾する記載に優先するものとする。参照により本明細書に組み込まれるものとするが、既存の定義、記述、又は本明細書に記載される他の開示文献と矛盾する任意の文献、又はそれらの部分は、組み込まれる文献と既存の開示内容との間に矛盾が生じない範囲でしか組み込まれないものとする。
【００５６】
以上、本発明の種々の実施形態を図示及び説明したが、本発明の範囲から逸脱することなく、当業者による適切な改変により、本明細書に記載される方法及びシステムの更なる適合化を実現することができる。このような可能な改変のうちのいくつかについて述べたが、他の改変も当業者には明らかとなるであろう。例えば、上記の実施例、実施形態、形状、材料、寸法、比率、工程などは例示的なものであって、必須のものではない。したがって、本発明の範囲は、以下の特許請求の範囲の観点から考慮されるべきものであり、本明細書及び図面において図示され、説明された構造及び動作の細部に限定されないものとして、理解されたい。
【００５７】
〔実施の態様〕
（１）  （ａ）本体であって、
（ｉ）近位表面、
（ｉｉ）遠位表面、
（ｉｉｉ）第１の側面、及び
（ｉｖ）第２の側面、を含む、本体と、
（ｂ）前記本体によって画定された第１のガイドスロットを含む骨鋸ガイドアセンブリであって、前記第１のガイドスロットが、挿入及び後退経路に沿って、前記近位表面及び前記遠位表面を通って延在し、前記第１のガイドスロットが、前記第１の側面と前記第２の側面との間に延在し、前記第１のガイドスロットが、前記挿入及び後退経路に沿って骨鋸をガイドしている間、前記骨鋸の横方向の移動に適応するように構成され、前記第１のガイドスロットが、第１の内面及び第２の内面を含み、前記第１の内面が、前記挿入及び後退経路から離れて横方向に第１の距離だけ離間され、前記第２の内面が、前記挿入及び後退経路から離れて横方向に第２の距離だけ離間され、前記第１の距離が、前記第２の距離よりも短い、骨鋸ガイドアセンブリと、を備える、骨鋸切削用ガイドブロック。
（２）  前記第１の内面が、前記挿入及び後退経路に沿って前記骨鋸をガイドしている間、前記骨鋸に接触するように構成され、前記第２の内面は、前記第１の内面が前記挿入及び後退経路に沿って前記骨鋸をガイドしている間、前記骨鋸に接触しないように構成されている、実施態様１に記載の骨鋸切削用ガイドブロック。
（３）  前記本体が、上縁部を含み、前記第１のガイドスロットが、前記上縁部に向かって斜角で遠位に延在している、実施態様１に記載の骨鋸切削用ガイドブロック。
（４）  前記骨鋸ガイドアセンブリが、前記本体によって画定された第２のガイドスロットを更に含み、前記第２のガイドスロットが、前記近位表面及び前記遠位表面を通って延在し、前記第２のガイドスロットが、前記第１の側面と前記第２の側面との間に延在している、実施態様３に記載の骨鋸切削用ガイドブロック。
（５）  前記本体が、底縁部を備え、前記第２のガイドスロットが、前記底縁部に向かって斜角で遠位に延在している、実施態様４に記載の骨鋸切削用ガイドブロック。
【００５８】
（６）  前記第１のガイドスロット及び前記第２のガイドスロットが、前記近位表面によって画定された入口スロットに近位に終端している、実施態様５に記載の骨鋸切削用ガイドブロック。
（７）  前記本体が、前記入口スロットの一部分、前記第１のガイドスロットの一部分及び前記第２のガイドスロットの一部分を画定する、第１の面取りされた角部を更に備える、実施態様６に記載の骨鋸切削用ガイドブロック。
（８）  前記本体が、前記第１のガイドスロットの一部分を画定する第２の面取りされた角部を更に備える、実施態様７に記載の骨鋸切削用ガイドブロック。
（９）  前記本体が、前記第２のガイドスロットの一部分を画定する第３の面取りされた角部を更に備える、実施態様８に記載の骨鋸切削用ガイドブロック。
（１０）  前記本体が、前記近位表面及び前記遠位表面を通って延在する複数の貫通穴を画定する、実施態様１に記載の骨鋸切削用ガイドブロック。
【００５９】
（１１）  前記第２の内面に置かれた複数のリブを更に備える、実施態様１に記載の骨鋸切削用ガイドブロック。
（１２）  前記第１のガイドスロットが第３の内面を含み、前記第３の内面が、前記挿入及び後退経路から離れて第１の距離だけ離間されている、実施態様１１に記載の骨鋸切削用ガイドブロック。
（１３）  前記第３の内面が、前記第２の内面に対して遠位にある、実施態様１２に記載の骨鋸切削用ガイドブロック。
（１４）  前記第１の内面が、前記第２の内面に対して近位にある、実施態様１３に記載の骨鋸切削用ガイドブロック。
（１５）  前記本体が、表面修復された大腿骨に選択的に取り付けるように構成されている、実施態様１に記載の骨鋸切削用ガイドブロック。
【００６０】
（１６）  （ａ）本体であって、
（ｉ）近位表面、
（ｉｉ）遠位表面、
（ｉｉｉ）第１の側面、及び
（ｉｖ）第２の側面を含む、本体と、
（ｂ）前記本体によって画定された第１のガイドスロットを含む骨鋸ガイドアセンブリであって、前記第１のガイドスロットが、挿入及び後退経路に沿って、前記近位表面及び前記遠位表面を通って延在し、前記第１のガイドスロットが、前記挿入及び後退経路に沿って骨鋸をガイドしている間、前記骨鋸の横方向の移動に適応するように構成され、前記第１のガイドスロットは、前記第１の内面が前記挿入及び後退経路に沿って前記骨鋸をガイドしている間、前記骨鋸に接触しないように構成されたオフセット表面を含む、骨鋸ガイドアセンブリと、を備える、骨鋸切削用ガイドブロック。
（１７）  前記オフセット表面が、前記近位表面と前記遠位表面との間に配置されている、実施態様１６に記載の骨鋸切削用ガイドブロック。
（１８）  前記第１のガイドスロットが、前記挿入及び後退経路に沿って前記骨鋸をガイドしている間、前記骨鋸に接触するように構成された接触表面を含む、実施態様１７に記載の骨鋸切削用ガイドブロック。
（１９）  前記接触表面が、前記オフセット表面に対して近位及び遠位に配置されている、実施態様１８に記載の骨鋸切削用ガイドブロック。
（２０）  （ａ）本体であって、
（ｉ）近位表面、
（ｉｉ）遠位表面、並びに
（ｉｉｉ）前記近位表面と前記遠位表面との間に配置された面取りされた角部であって、前記面取りされた角部及び前記近位表面が横方向に延在する入口スロットを画定する、面取りされた角部を含む、本体と、
（ｂ）骨鋸ガイドアセンブリであって、前記骨鋸ガイドアセンブリが第１のガイドスロット及び第２のガイドスロットを含み、前記第１のガイドスロットが、前記横方向に延在する入口スロットから前記遠位表面を通って延在し、前記第２のガイドスロットが、前記横方向に延在する入口スロットから前記遠位表面を通って延在する、骨鋸ガイドアセンブリと、を備える、骨鋸切削用ガイドブロック。
【図１Ａ】
2020075126.tif 000003
【図１Ｂ】
2020075126.tif 000004
【図１Ｃ】
2020075126.tif 000005
【図２】
2020075126.tif 000006
【図３】
2020075126.tif 000007
【図４Ａ】
2020075126.tif 000008
【図４Ｂ】
2020075126.tif 000009
【図４Ｃ】
2020075126.tif 000010
【図４Ｄ】
2020075126.tif 000011
【図４Ｅ】
2020075126.tif 000012
【図４Ｆ】
2020075126.tif 000013
【図４Ｇ】
2020075126.tif 000014
【図４Ｈ】
2020075126.tif 000015
【図５】
2020075126.tif 000016
【図６】
2020075126.tif 000017
【図７】
2020075126.tif 000018
【図８】
2020075126.tif 000019
【図９】
2020075126.tif 000020
【図１０】
2020075126.tif 000021
【外国語明細書】
2020075126000001.pdf